(57)【要約】【課題】  簡単な洗浄器具を用いて二つ穴式風呂釜の内部を完全に洗浄しようとするものである。【解決手段】  合成樹脂製の筒の前端開口周縁に緩衝材をとりつけ、上記筒の後端部に細長片からなる芯棒支持片を径方向にとりつけ、該芯棒支持片の中心部に芯棒通孔を設け、該芯棒通孔に金属製の芯棒を前後移動可能にとりつけ、該芯棒の前端部に円盤状の摺動子をとりつけ、該芯棒の後端部に柄をとりつけてなり、柄の前後押動操作によって摺動子が筒内で前後に移動することを特徴とする二つ穴式風呂釜洗浄器【選択図】図１
0003139840.tif 000002
【実用新案登録請求の範囲】
【請求項１】
合成樹脂製の筒の前端開口周縁に緩衝材をとりつけ、上記筒の後端部に細長片からなる芯棒支持片を径方向にとりつけ、該芯棒支持片の中心部に芯棒通孔を設け、該芯棒通孔に金属製の芯棒を前後移動可能にとりつけ、該芯棒の前端部に円盤状の摺動子をとりつけ、該芯棒の後端部に柄をとりつけてなり、柄の前後押動操作によって摺動子が筒内で前後に移動することを特徴とする二つ穴式風呂釜洗浄器。
【請求項２】
芯棒支持片が、摺動子が後方に移動した際のストッパーになることを特徴とする請求項１記載の二つ穴式風呂釜洗浄器。
【請求項３】
芯棒支持片が、柄が前方に移動した際のストッパーになることを特徴とする請求項２記載の二つ穴式風呂釜洗浄器。
【考案の詳細な説明】
【考案の詳細な説明】
【技術的分野】
【０００１】  本考案は二つ穴式風呂釜洗浄器に関するもので、風呂釜の内部に強力な水流を発生させ、付着した湯垢などを機械的に剥離することによって、釜の内部を常に清浄な状態に保持することのできる風呂釜洗浄器を提供するものである。
【背景技術】
【０００２】  ガスなどを燃料とする二つ穴式風呂釜はその内部の熱交換器内に自然対流が発生することで湯を沸かす方式であるが、使用しているうちに湯垢などが釜の内部に付着し堆積することでレジオネラ菌などの細菌を発生させ不衛生な状態をもたらす。また堆積された湯垢による断熱作用で熱効率も著しく低下する。したがってこれらを防止するためには、定期的に釜の内部を洗浄することによって堆積された湯垢などを除去する必要がある。【０００３】  二つ穴式風呂釜内部の湯垢の除去方法として従来一般家庭などで行われているのは、水道水をホースなどによって釜の内部に注入し、その勢いで洗い流すものである（例えば特許文献特開平１−２０３８９７、特開平８−２６１６９２など）。
また市販されている過炭酸ナトリウムなどの洗浄薬剤を手動式ジャバラで釜の内部に注入して化学的に洗浄する方法や、釜の洗浄を専門とする業者に依頼して動力ポンプを用いて薬剤を釜の内部に注入し循環させる方法（例えば特開２００７−１９７６２０）などである。
さらにまた洗浄器を釜湯口に当ててシリンダーとピストンの組合せによって水流を風呂釜に送って洗浄するという考案も実開昭５９−１２４８９５で公知である。【０００４】  しかし、通常の水道水流出量はバルブ全開状態でも毎秒約０．６リットル程度の弱いものであり、湯垢などを完全に除去することは不可能である。また薬剤を用いることは排水を汚染し環境に悪影響を及ぼす。専門業者に依頼することも多額の費用を要するなど決して完全なものではない。さらにまた後者の洗浄器はピストン（摺動子）の構造も複雑でコスト的にも高くつくことで実用性に乏しいものである。
【考案の開示】
【考案が解決しようとする課題】
【０００５】  それに対し本考案は構造的にも極めて簡単であり材料コストも安く、操作もしやすく上記従来の欠点を解消している。
【課題を解決するための手段】
【０００６】  本考案の要旨とするところは、「合成樹脂製の筒の前端開口周縁に緩衝材をとりつけ、上記筒の後端部に細長片からなる芯棒支持片を径方向にとりつけ、該芯棒支持片の中心部に芯棒通孔を設け、該芯棒通孔に金属製の芯棒を前後移動可能にとりつけ、該芯棒の前端部に円盤状の摺動子をとりつけ、該芯棒の後端部に柄をとりつけてなり、柄の前後押動操作によって摺動子が筒内で前後に移動することを特徴とする二つ穴式風呂釜洗浄器」である。
【考案の効果】
【０００７】  本考案の洗浄器は筒（シリンダー）と摺動子（ピストン）と芯棒と芯棒支持片と柄と緩衝材の組合せであり、構造的にも極めて簡単であり材料コストも安く、柄を持ってシリンダーを押引するだけの簡単な操作でありながら、二つ穴式風呂釜の内部を完全に洗浄することができるから、入浴中の湯質を常に清浄な状態に保持することが可能である。【０００８】  また昨今、環境意識の高まりから入浴後の水も捨てることなく有効に利用しようという意識が芽生えてきた。その第一は洗濯用水として再利用することであるが、そのためには水質も清浄であることが要求される。この器具の使用はそれを完全に満たすものである。【０００９】  また湯垢の蓄積による断熱作用が生じることもないから、ガスなどの燃料を無駄にすることもない。【００１０】  また薬剤を一切用いず排水を汚染することもないから環境対策上も極めて大きな効果をもたらすものである。
【考案を実施するための最良の形態】
【００１１】  本考案の実施例を図面を用いて説明する。図１は本考案洗浄器の透視斜視図を示す。洗浄器３は合成樹脂製の筒（シリンダー）Ａ（以下筒という）と、この筒内に設けられる円盤型の摺動子（ピストン）Ｂ（以下摺動子という）と、金属製の芯棒Ｃと、芯棒支持片Ｄと、柄Ｅ及び緩衝材Ｆから構成されている。【００１２】  摺動子Ｂは木製、プラスチック製で、芯棒の先端にネジ固定している。芯棒支持片Ｄは、木製、プラスチック製の細長片からなり、筒の後端部に径方向にネジ固定（不図示）している。中心部には芯棒通孔Ｄ′を設けて、芯棒を前後移動可能にとりつけている。芯棒の後端には柄Ｅを脱着可能にとりつけている。芯棒支持片Ｄは摺動子が後方に移動した際のストッパーになっており、また柄が前方に移動した際のストッパーになっている。筒の前端開口周縁にとりつけている緩衝材は、風呂釜の湯口に密着するのが好ましく、スポンジ製、軟質樹脂のリング形状のものを脱着可能に、または固定的に固着している。上記説明からして、各部材は組立、分解可能にしているので製作が容易であり、部材のとり替えもできる。【００１３】  本考案による洗浄器のサイズは、筒の内径は浴槽内の風呂釜湯口の大きさに合わせて設定すればよい。筒の長さは浴槽の大きさ、柄の操作性を考慮して設定すればよい。仮に筒のサイズが内径７センチ、長さ２５センチとして摺動子を手前いっぱいから筒の先端まで押し出す時間を０．３秒とすると、その流水量は毎秒約３．２リットルであるから水道水流出量０．６リットルと比較するとその流水量は数倍である。それだけ湯垢などを剥離するための強力な水流を発生させることができる。【００１４】  図２は本考案洗浄器の使用状態の説明図を示す。浴槽１の一側に風呂釜２をとりつけ、風呂釜の釜湯口４の上側に洗浄器３をとりつけている。５は水面である。【００１５】  洗浄に当たっての手順は入浴完了後の排水前に（イ）水面を上の釜湯口を満たすまで上げる。（ロ）湯当たり（キャップ）がある場合は、流水量を増加させるためにははずすことが好ましい。（ハ）洗浄器を片手で上（下も可）の釜湯口に押しつける。（ニ）もう一方の手で摺動子を力強く往復させる。この動作を繰り返し湯垢を排泄する。これら洗浄作業に要する時間は長くても数分で終えることができる。洗浄頻度は毎日入浴する場合でも通常一ヶ月に一度くらいでよい。【００１６】  図３は本考案洗浄器の他の実施例を示す。洗浄器の形状としては直線型の他に先端に曲がり管を装着したＬ字型の物も考えられる。この場合は摺動子を動かす方向が水平から垂直に変わるだけであって原理的には同一である。なお、この場合も空気の混入による効率減少を防ぐために洗浄器の筒部分は完全に水中に没した状態で使用することが好ましい。
【図面の簡単な説明】
【００１７】
【図１】本考案二つ穴式風呂釜洗浄器の透視斜視図
【図２】本考案二つ穴式風呂釜洗浄器の使用状態の説明図
【図３】本考案の別の実施を示すＬ字型二つ穴式風呂釜洗浄器の使用状態の説明図
【符号の説明】
【００１８】１  浴槽
２  風呂釜
３  洗浄器
４  釜湯口
５  水面
Ａ  合成樹脂製の筒（シリンダー）
Ｂ  円盤摺動子（ピストン）
Ｃ  金属製芯棒
Ｄ  芯棒支持片
Ｄ′芯棒通孔
Ｅ  柄
Ｆ  緩衝材
【図１】
0003139840.tif 000003
【図２】
0003139840.tif 000004
【図３】
0003139840.tif 000005